(57)【要約】      （修正有）【課題】表面に対する垂直方向の荷重に強く、かつ、安価に提供することができる避難所用床敷物を提供する。【解決手段】それぞれ平面視略正方形状に形成した上側段ボールシートと下側段ボールシート３との間には略短冊状の多数枚の段ボール片５を立てた状態で並設し、各段ボール片の側面を隣接する他の段ボール片の側面に固着し、各段ボール片の上縁を該上側段ボールシートに固着し、各段ボール片の下縁を該下側段ボールシートに固着し、該下側段ボールシートの各辺には他の避難所用床敷物における下側段ボールシートと分離自在に連結するための連結手段７を備えさせたことを特徴とする避難所用床敷物。【選択図】図１
0003188867.tif 000002
【実用新案登録請求の範囲】
【請求項１】
それぞれ平面視略正方形状に形成した上側段ボールシートと下側段ボールシートとの間には略短冊状の多数枚の段ボール片を立てた状態で並設し、各段ボール片の側面を隣接する他の段ボール片の側面に固着し、各段ボール片の上縁を該上側段ボールシートに固着し、各段ボール片の下縁を該下側段ボールシートに固着し、該下側段ボールシートの各辺には他の避難所用床敷物における下側段ボールシートと分離自在に連結するための連結手段を備えさせたことを特徴とする避難所用床敷物。
【請求項２】
前記連結手段として、前記下側段ボールシートにおける二つの辺には凸部を形成し、該下側段ボールシートにおける他の二つの辺には該凸部に対応する凹部を形成することを特徴とする請求項１に記載の避難所用床敷物。
【考案の詳細な説明】
【技術分野】
【０００１】
本考案は、避難所用床敷物に関するものであり、特に、地震、津波、台風、火災等の災害時に一時的に避難生活を行うための体育館等の避難所の床上に敷く避難所用床敷物に係るものである。
【背景技術】
【０００２】
避難所用床敷物としては、毛布、複数枚の段ボールシートを積層させてなる板状体等が用いられている。
【考案の概要】
【考案が解決しようとする課題】
【０００３】
しかるに、毛布は高価であるため、多数枚の毛布を体育館等の広い避難所の床に敷き詰めるには必ずしも適していない。
【０００４】
一方、複数枚の段ボールシートを積層させてなる板状体は、安価ではあるものの、該板状体の表面に対する垂直方向の荷重に弱いため、表面にヘコミができやすい。表面にヘコミが生じた板状体は、該板状体上で生活する使用者にとって不快である。
【０００５】
以上の如き状況に鑑み、本考案は、表面に対する垂直方向の荷重に強く、かつ、安価に提供することができる避難所用床敷物を提供しようとしてなされたものである。
【課題を解決するための手段】
【０００６】
上記課題を解決するために、本考案は、下記の避難所用床敷物を提供する。
【０００７】
（１）それぞれ平面視略正方形状に形成した上側段ボールシートと下側段ボールシートとの間には略短冊状の多数枚の段ボール片を立てた状態で並設し、各段ボール片の側面を隣接する他の段ボール片の側面に固着し、各段ボール片の上縁を該上側段ボールシートに固着し、各段ボール片の下縁を該下側段ボールシートに固着し、該下側段ボールシートの各辺には他の避難所用床敷物における下側段ボールシートと分離自在に連結するための連結手段を備えさせたことを特徴とする避難所用床敷物（請求項１）。
【０００８】
（２）前記連結手段として、前記下側段ボールシートにおける二つの辺には凸部を形成し、該下側段ボールシートにおける他の二つの辺には該凸部に対応する凹部を形成する（請求項２）。
【考案の効果】
【０００９】
［請求項１の考案］
請求項１の考案においては、上側段ボールシートと下側段ボールシートとの間には略短冊状の多数枚の段ボール片を立てた状態で並設し、各段ボール片の側面を隣接する他の段ボール片の側面に固着し、各段ボール片の上縁を該上側段ボールシートに固着し、各段ボール片の下縁を該下側段ボールシートに固着しているため、請求項１の考案による避難所用床敷物は、極めて頑丈であり、表面に対する垂直方向の荷重に強い。したがって、表面にヘコミが生ずるおそれがない。また、下側段ボールシートの各辺には他の避難所用床敷物における下側段ボールシートと分離自在に連結するための連結手段を備えているため、多数枚の避難所用床敷物を連結することにより、広いシートを形成することができる。更に、この避難所用床敷物は、段ボールのみにより形成されるため、極めて安価に提供することができるのみならず、使用後は材料のリサイクルを行うことができる。
【００１０】
［請求項２の考案］
避難所用床敷物相互の連結手段として、下側段ボールシートにおける二つの辺には凸部を形成し、該下側段ボールシートにおける他の二つの辺には該凸部に対応する凹部を形成しているため、該凸部を他の避難所用床敷物における下側段ボールシートの対応凹部に嵌合することにより避難所用床敷物を相互に極めて容易に連結することができる。また、該凸部を対応凹部から外すことにより避難所用床敷物を極めて容易に分離することができる。  
【図面の簡単な説明】
【００１１】
【図１】図１は、本考案による複数の避難所用床敷物の連結状態を示す底面図である。
【図２】図２は、同上避難所用床敷物における上側段ボールシートの一部を切欠して示す平面図である。
【図３】図３は、同上避難所用床敷物の正面図である。
【図４】図４は、立てた状態の略短冊状の段ボール片を示す斜視図である。
【図５】図５は、立てた状態の略短冊状の段ボール片を示す正面図である。
【考案を実施するための形態】
【００１２】
それぞれ平面視略正方形状に形成した上側段ボールシート１と下側段ボールシート３との間には略短冊状の多数枚の段ボール片５、５・・・を立てた状態で並設する。
【００１３】
上側段ボールシート１と下側段ボールシート３とは、一例として、それぞれライナとライナとの間に中芯を固着してなる両面段ボールよりなるものとする。
【００１４】
略短冊状の段ボール片５は、例えば、両面段ボール、複両面段ボール、複々両面段ボール等の段ボールを略短冊状に切断してなるものである。段ボール片５を「立てた状態」とは、図４、図５に示すように、段ボール片５の側面５ａ、５ｂが垂直になるように横長に配設した状態をいう。
【００１５】
各段ボール片５の側面５ａ、５ｂを隣接する他の段ボール片５の側面５ａ、５ｂに固着し、各段ボール片５の上縁５ｃを上側段ボールシート１に固着し、各段ボール片５の下縁５ｄを下側段ボールシート３に固着する。
【００１６】
下側段ボールシート３の各辺には他の避難所用床敷物における下側段ボールシート３と分離自在に連結するための連結手段７を備えさせる。
【００１７】
連結手段７としては、例えば、下側段ボールシート３における二つの辺には凸部７ａを形成し、該下側段ボールシート３における他の二つの辺には該凸部７ａに対応する凹部７ｂを形成する。図１に示す事例においては、各凸部７ａと各凹部７ｂとは、それぞれ平面視略台形状に形成されている。
【符号の説明】
【００１８】
１  上側段ボールシート
３  下側段ボールシート
５  段ボール片
５ａ  側面
５ｂ  側面
５ｃ  上縁
５ｄ  下縁
７  連結手段
７ａ  凸部
７ｂ  凹部
【図１】
0003188867.tif 000003
【図２】
0003188867.tif 000004
【図３】
0003188867.tif 000005
【図４】
0003188867.tif 000006
【図５】
0003188867.tif 000007